(57)【特許請求の範囲】
【請求項１】
先端板面中央にコ状切欠部（２）と、その両側に形成された突出袖片（３）、（３）の先端部を半円弧状に形成した二つ割りカバー（１）、（１）内に収納された電源端子（１０）と、前記二つ割りカバー（１）、（１）に設けたコ状切欠部（２）に嵌装し、両側面に栓刃端子嵌合溝（２１）、（２１）と、該栓刃端子嵌合溝（２１）、（２１）の底面に係止突起（２２）を夫々設けた栓刃端子ホルダー（２０）に嵌合係止した栓刃端子（１５）とを、電気的に且つ左右に９０゜回動自在に枢着してなる栓刃可動式プラグにおいて、
前記、栓刃端子（１５）の基部端を覆う角筒状絶縁部（２６）と、その前面下端部に半円弧状のひさし部（２７）及び角筒状絶縁部（２６）の底面と連続して下方に延長した板体（２８）の板面に前記栓刃端子ホルダー（２０）に設けた係止突起（２２）に嵌合する嵌合孔（２９）を設けた絶縁体（２５）を栓刃端子（１５）に嵌装すると共に、前記、二つ割りカバー（１）、（１）に設けた先端半円弧状の突出袖片（３）、（３）の相対向する内側縁に前記絶縁体（２５）に設けた半円弧状のひさし部（２７）が嵌合摺動する半円弧状の摺動溝（４）とその両端部にひさし部（２７）の半円弧状端部が嵌合する嵌合溝口（５）、（５）を設けたことを特徴とする栓刃可動式プラグ。
【発明の詳細な説明】
【０００１】
【産業上の利用分野】
本発明は栓刃可動式プラグに関するものである。
【０００２】
【従来の技術】
従来、プラグをコンセントに差し込み接続した際、コンセントに差し込み接続した栓刃端子の基部端が露出し、この露出部分に塵埃等が長時間に亘り付着しトラッキング現象によりその接続部が発熱引火したり、また、導電性金属が栓刃端子の露出部分に触れて感電する等の電気的事故が問題となっている。
【０００３】
上記問題点を解消する手段として、プラグの栓刃基部端に角筒状の絶縁キャップを嵌装する等の方法が提案されている。
【０００４】
【発明が解決しようとする課題】
しかしながら、図５に示すように先端板面中央にコ状切欠部２を設け、該コ状切欠部２の両側に形成された突出袖片３、３の先端部を半円弧状に形成した二つ割りカバー１、１内に収納された電源端子１０（図１参照）と、前記二つ割りカバー１、１に設けたコ状切欠部２に嵌装した栓刃端子ホルダー２０に嵌装された栓刃端子１５とを電気的に、且つ、左右に９０゜回動自在に枢着してなる栓刃可動式プラグにおいては、二つ割りカバー１、１に設けた突出袖片３、３の先端部が半円弧状に形成されているために、単に角筒状の絶縁キャップを栓刃端子１５の基部端に装着しただけでは、半円弧状に形成された突出袖片３、３の先端部と栓刃端子１５を嵌装した栓刃端子ホルダー２０の栓刃端子嵌合溝２１との間に隙間が生じ、この隙間から塵埃等がプラグ本体内に侵入することに起因する各種電気的事故が懸念されている。しかしながら、これを防止する具体策は未だ提案されていない。
【０００５】
本発明は上記問題点に鑑みなされたもので、栓刃可動式プラグにおいて、該プラグをコンセントに差し込み接続した際に栓刃端子の基部端が露出し、この露出部分に塵埃等が付着しトラッキング現象によりその接続部が発熱引火したり、また、導電性金属が栓刃端子の露出部分に触れて感電する等の電気的事故を確実に防止し得るばかりでなく、栓刃端子ホルダーに設けた栓刃端子嵌合溝から塵埃等がプラグ本体内に侵入することに起因する各種電気的事故を確実に防止し得る栓刃可動式プラグを提供することを目的とする。
【０００６】
【課題を解決するための手段】
本発明は、先端板面中央にコ状切欠部２と、該コ状切欠部２の両側に形成された突出袖片３、３の先端部を半円弧状に形成した二つ割りカバー１、１内に収納された電源端子１０と、前記二つ割りカバー１、１に設けたコ状切欠部２に嵌装し、両側面に栓刃端子嵌合溝２１、２１と、該栓刃端子嵌合溝２１、２１の底面に係止突起２２を夫々設けた栓刃端子ホルダー２０に嵌合係止した栓刃端子１５とを、電気的に且つ左右に９０゜回動自在に枢着してなる栓刃可動式プラグにおいて、前記、栓刃端子１５の基部端を覆う角筒状絶縁部２６と、その前面下端部に半円弧状のひさし部２７及び角筒状絶縁部２６の底面と連続して下方に延長した板体２８の板面に前記栓刃端子ホルダー２０に設けた係止突起２２に嵌合する嵌合孔２９を設けた絶縁体２５を栓刃端子１５に嵌装すると共に、前記、二つ割りカバー１、１に設けた先端半円弧状の突出袖片３、３の相対向する内側縁に前記絶縁体２５に設けた半円弧状のひさし部２７が嵌合摺動する半円弧状の摺動溝４とその両端部にひさし部２７の半円弧状端部が嵌合する嵌合溝口５、５を設けて栓刃可動式プラグを構成し、従来の問題点を解消したものである。
【０００７】
プラグをコンセントに差し込み接続した際に生じた栓刃端子１５の基部端とコンセントとの隙間は絶縁体２５に形成した角筒状絶縁部２６により完全に塞がれるので、栓刃端子１５の基部端がコンセントから露出していることに起因するトラッキング現象による接続部の発熱や、ヘアーピン等の導電性金属が触れることによる感電事故は確実に防止される。
【０００８】
また、栓刃端子ホルダー２０の両側面に設けた栓刃端子嵌合溝２１と栓刃端子１５との隙間、および、栓刃端子１５を嵌装した栓刃端子嵌合溝２１と二つ割りカバー１に設けた先端半円弧状の突出袖片３、３の先端部との隙間からプラグ本体内に侵入する塵埃等は、絶縁体２５に設けた角筒状絶縁部２６の前面基部端に形成したひさし部２７により防止され、また、栓刃端子１５を左右に９０゜回動させた際には、絶縁体２５に設けたひさし部２７が二つ割りカバー１、１に設けた先端半円弧状の突出袖片３、３の相対向する内側縁に形成した摺動溝４に沿って摺動し、該ひさし部２７の回動方向における一端が摺動溝４の端部に設けた嵌合溝口５に嵌入し、該摺動溝４に絶縁体２５に設けたひさし部２７が密着するので、栓刃端子ホルダー２０の両側面に設けた栓刃端子嵌合溝２１と栓刃端子１５との隙間からプラグ本体内に塵埃等が侵入することに起因する各種電気的事故は確実に防止される。
【０００９】
さらに、絶縁体２５の底面を下方に延長して設けた板体２８に穿設した嵌合孔２９を、該絶縁体２５を嵌装する栓刃端子１５の基部端に設けた嵌合孔１６に合致させ、栓刃端子ホルダー２０に設けた栓刃端子嵌合溝２１の底面に突設した嵌合突起２２に嵌合させることにより、絶縁体２５が浮き上がる等の位置ずれは確実に防止される。
【００１０】
【発明の実施の形態】
以下、本発明の実施の形態を図面により説明する。図１は本発明の一実施の形態を示す分解斜視図、図２は栓刃端子ホルダーと回動自在に枢着した電源端子及び栓刃端子との関係を示す分解斜視図、図３は絶縁体を示す斜視図、図４は組立て状態を示す斜視図、図５は従来の栓刃可動式プラグを示す要部拡大斜視図である。
【００１１】
図において１、１は二つ割りカバー、２は該二つ割りカバー１、１の先端板面中央に設けられたコ状切欠部、３、３は該コ状切欠部２の両側に形成された突出袖片でその先端部は半円弧状に形成され、相対向する先端部内側縁には後述する絶縁体２５に設けたひさし部２７が摺動する半円弧状の摺動溝４が形成され、該摺動溝４の両端部にはひさし部２７の回動方向における端部が嵌合する嵌合溝口５、５が形成されている。
【００１２】
１０はカバー１、１内に収納された電源端子で、該電源端子１０の先端部には後述する栓刃端子１５が電気的に、且つ、回動自在に枢着されている。
【００１３】
１５は栓刃端子で、該栓刃端子１５は図１及び図２に示すように、前記電源端子１０と電気的に、且つ、回動自在に枢着され、その上部には後述する栓刃端子ホルダー２０に設けられた栓刃端子嵌合溝２１内に突設された嵌合突起２２に嵌合する嵌合孔１６が穿設されている。
【００１４】
２０は栓刃端子ホルダーで、該栓刃端子ホルダー２０の底面は半円弧状に形成されている。２１、２１は栓刃端子ホルダー２０の両側面中央部に穿設された栓刃端子嵌合溝、２２、２２は該栓刃端子嵌合溝２１、２１の底面に夫々突設された嵌合突起で、該嵌合突起２２には前記栓刃端子１５の基部端板面に設けられた嵌合孔１６及び後述する絶縁体２５に設けた嵌合孔２９が嵌合する。２３、２３は栓刃端子嵌合溝２１、２１と夫々連続して穿設されたは円形溝で、この円形溝２３内には前記電源端子１０と電気的に且つ左右に９０゜回動自在に枢着した栓刃端子１５の枢着部が収納される。この栓刃端子ホルダー２０は栓刃端子１５の回動に付随して回動する。
【００１５】
２５は弾性を有する合成樹脂からなる絶縁体、２６は該絶縁体２５に設けられた角筒状絶縁部で、該角筒状絶縁部２６は栓刃端子１５の基部端に嵌装される。２７は角筒状絶縁部２６の前面基部端に設けられたひさし部で、該ひさし部２７は前記二つ割りカバー１に設けたコ状切欠部２の両側に形成された突出袖片３、３の相対向する内側縁に設けた摺動溝４に摺動自在に嵌合し、且つ、その両端部はその回動方向において、前記摺動溝４の端部に設けた嵌合溝口５に嵌合する。即ち、栓刃端子１５を、例えば、右方向に９０゜回動させると、該栓刃端子１５に被せた絶縁体２５に設けたひさし部２７の回動方向における端部は、二つ割りカバー１に設けた突出袖片３の内側縁に設けた摺動溝４の垂直面に位置し、該摺動溝４とひさし部２７との間に隙間が生じるが、ひさし部２７の回動方向における端部を摺動溝４の端部に設けた嵌合溝口５内に嵌入させることにより、摺動溝４にひさし部２７が密着し、栓刃端子１５と栓刃端子ホルダー２０に設けた栓刃端子嵌合溝２１との隙間は完全に閉塞され、該部分からプラグ本体内への塵埃等の侵入は確実に防止される。
【００１６】
而して、絶縁体２５の形状は図３に示すように、ひさし部２７の頂面から角筒状絶縁部２６先端までの高さＴが４．５ｍｍ〜５ｍｍ、角筒状絶縁部２６の長さＬが６．５ｍｍ、幅Ｗが１．８ｍｍ、角筒状絶縁部２６の底面から下方に延長した板体２８の厚さｔは０．５ｍｍ程度に形成されている。なお、上記寸法は法律で定められた範囲内において適宜設計変更し得ることは勿論である。
【００１７】
上述のように構成した本発明の栓刃可動式プラグを組み立てるには、図１及び図２に示すように、電源端子１０と栓刃端子１５とを電気的に、且つ、回動自在に枢着する。次いで、栓刃端子１５に絶縁体２５に設けた角筒状絶縁部２６を嵌装し、該角筒状絶縁部２６の底面を下方に延長して設けた板体２８に穿設した嵌合孔２９を、前記栓刃端子１５の基部端板面に穿設した嵌合孔１６に合致させた状態で栓刃端子ホルダー２０に設けた栓刃端子嵌合溝２１の底面に突設した嵌合突起２２に嵌合させ、絶縁体２５及び栓刃端子１５を栓刃端子嵌合溝２１内に嵌装する。この際、栓刃端子ホルダー２０に設けた栓刃端子嵌合溝２１と連設された円形溝２３内には電源端子１０と電気的に、且つ、回動自在に枢着した栓刃端子１５の枢着部が収納される。最後に二つ割りのカバー１、１を被せ、両カバーをネジ止め固定して図４に示す栓刃可動式プラグを組み立てるだけの極めて簡単な作業で、コンセントに差し込み接続した際に栓刃端子１５の基部端が露出し、この露出部分に塵埃等が付着しトラッキング現象によりその接続部が発熱引火したり、また、導電性金属が栓刃端子１５の露出部分に触れて感電する等の電気的事故を確実に防止し得るばかりでなく、栓刃端子ホルダー２０に設けた栓刃端子嵌合溝２１から塵埃等がプラグ本体内に侵入することに起因する各種電気的事故を確実に防止した可動式プラグが得られる。
【００１８】
上述のように構成した本発明の栓刃可動式プラグをコンセントに差し込み接続した際、栓刃端子１５の基部端とコンセントとの隙間は絶縁体２５に形成した角筒状絶縁部２６により完全に塞がれるので、栓刃端子１５の基部端がコンセントから露出していることに起因するトラッキング現象による接続部の発熱や、ヘアーピン等の導電性金属が触れることによる感電事故は確実に防止される。
【００１９】
また、栓刃端子ホルダー２０の両側面に設けた栓刃端子嵌合溝２１と栓刃端子１５との隙間、および、栓刃端子嵌合溝２１と二つ割りカバー１、１に設けた先端半円弧状の突出袖片３、３との隙間からプラグ本体内に侵入する塵埃等は、絶縁体２５に設けた角筒状絶縁部２６の前面基部端に形成したひさし部２７により防止され、また、栓刃端子１５を左右に９０゜回動させた際には、絶縁体２５に設けたひさし部２７の回動方向における端部が、カバー１に設けた先端半円弧状の突出袖片３、３の相対向する内側縁に形成した摺動溝４の端部に設けた嵌合溝口５に嵌入し、該摺動溝４に絶縁体２５に設けたひさし部２７が密着する。従って、栓刃端子ホルダー２０の両側面に設けた栓刃端子嵌合溝２１と栓刃端子１５との隙間からプラグ本体内に塵埃等が侵入することに起因する電気的事故は確実に防止される。
【００２０】
さらに、絶縁体２５に設けた角筒状絶縁部２６の底面を下方に延長して設けた板体２８に穿設された嵌合孔２９は、栓刃端子ホルダー２０の両側面に設けた栓刃端子嵌合溝２１の底面に突設した嵌合突起２２に嵌合しているので、栓刃端子１５を回動させた際、絶縁体２５が上方に浮き上がる等位置ずれするおそれは全くない。
【００２１】
なお、本発明は上記実施例に限定されるものではなく、プラグ本体をモールド成形した栓刃可動式プラグにも適用し得ることは勿論である。
【００２２】
【発明の効果】
本発明によれば上述のように、栓刃可動式プラグをコンセントに差し込み接続した際、コンセントに差し込み接続した栓刃端子１５の基部端が露出し、この露出部分に塵埃等が付着しトラッキング現象によりその接続部が発熱引火したり、また、ヘアーピン等の導電性金属が栓刃端子１５の露出部分に触れて感電する等の電気的事故を確実に防止し得るばかりでなく、栓刃端子ホルダー２０に設けた栓刃端子嵌合溝２１と二つ割りカバー１との隙間及び栓刃端子１５との隙間から塵埃等がプラグ本体内に侵入することに起因する各種電気的事故を確実に防止し得る等の優れた利点がある。
【図面の簡単な説明】
【図１】本発明の一実施の形態を示す分解斜視図
【図２】栓刃端子ホルダーと回動自在に枢着した電源端子及び栓刃端子との関係を示す分解斜視図
【図３】絶縁体を示す斜視図
【図４】組立て状態を示す斜視図
【図５】従来の栓刃可動式プラグを示す要部拡大斜視図である。
【符号の説明】
１  二つ割りカバー                              ２  コ状切欠部
３  突出袖片                                    ４  摺動溝
５  嵌合溝口
１０  電源端子                                  １５  栓刃端子
２０  栓刃端子ホルダー                          ２１  栓刃端子嵌合溝
２２  係止突起
２５  絶縁体                                    ２６  角筒状絶縁部
２７  ひさし部                                  ２８  板体
２９  嵌合孔
【図１】
0004233708.tif 000002
【図２】
0004233708.tif 000003
【図３】
0004233708.tif 000004
【図４】
0004233708.tif 000005
【図５】
0004233708.tif 000006